(57)【要約】【課題】  電子回路部品に対する不正行為の有無の確認を確実に行う。【解決手段】  主制御基板２１に、メインＣＰＵ２１ａを組み込む。主制御基板２１を、基板収納ケース３０に収納する。基板収納ケース３０は、第１カバー３１、第２カバー３２を備える。本体部３１ａに放熱孔３１ｅを形成する。放熱孔３１ｅを、ヒートシンク３５のフィン３５ｂを挿通可能な位置及びサイズで形成する。ヒートシンク３５は、ベース３５ａ、フィン３５ｂを備える。ベース３５ａに、移動シャフト３６の一端を取り付ける。コイルバネ３７により、ヒートシンク３５をメインＣＰＵ２１ａに当接する方向に向けて付勢する。移動シャフト３６の本体部３１ａの前面から突出した部分に、把手３９を取り付ける。メインＣＰＵ２１ａに対する不正行為の有無を確認する場合には、把手３９を持ってヒートシンク３５を移動させる。【選択図】        図６
2006263084.tif 000002
【特許請求の範囲】
【請求項１】
電子回路部品が組み込まれた回路基板、前記電子回路部品に当接して放熱する放熱部材を収納するとともに、少なくとも一部が内部を視認させる透明素材から構成され、前記電子回路部品と対向する対向面に放熱孔が形成された基板収納ケースと、
前記対向面に直交する方向に移動可能に設けられ、移動可能な方向の一端が前記放熱部材に固定され、他端が前記対向面に形成された貫通孔に挿通されて外部に突出される移動部材と、
前記放熱部材を前記電子回路部品に当接する方向に付勢する付勢手段と、を備えたことを特徴とする基板収納ユニット。
【請求項２】
前記放熱孔を、前記移動部材を前記付勢手段の付勢に抗して移動させたときに前記放熱部材の一部を挿通して前記基板収納ケースの外部に突出させる位置及び大きさに形成したことを特徴とする請求項１記載の基板収納ユニット。
【請求項３】
前記移動部材の他端に、把手を設けたことを特徴とする請求項１または２記載の基板収納ユニット。
【請求項４】
前記把手を、前記放熱孔を覆うとともに、前記放熱部材が前記電子回路部品に当接しているときに前記対向面に対して少なくとも一部に隙間をあけて配設されたカバー部材から構成し、
前記カバー部材に、前記対向面に直交する方向において前記放熱孔と重なることのない位置に通気孔を形成したことを特徴とする請求項３記載の基板収納ユニット。
【請求項５】
請求項１ないし４いずれか１つ記載の基板収納ユニットを備えたことを特徴とする遊技機。
【発明の詳細な説明】
【技術分野】
【０００１】
本発明は、パチンコ店などの遊技場に設置して使用される基板収納ユニット及びこれを備えた遊技機に関するものである。
【背景技術】
【０００２】
パチンコ店などの遊技場に設置して使用される遊技機であるパチンコ機やスロットマシンは、パチンコ球やメダルに一定の価値が与えられて、遊技を行って獲得したパチンコ球やメダルを種々の景品に交換することができる。パチンコ機は、遊技盤の背面や遊技盤を装着させる本体基部に、パチンコ球の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
最近のパチンコ機の内部に配設されている制御回路装置は、ＣＰＵ（ｃｅｎｔｒａｌ  ｐｒｏｃｅｓｓｉｎｇ  ｕｎｉｔ）、マスクＲＯＭ（ｒｅａｄ  ｏｎｌｙ  ｍｅｍｏｒｙ）といった電子回路部品が組み込まれた回路基板を備え、該ＣＰＵが、該マスクＲＯＭにデータとして記憶されている制御プログラムのデータを逐次読み出して実行することによって、電子制御を行うものが一般的である。
【０００４】
これらの電子回路部品は、処理能力の高まりにつれて発熱量も増大し、その熱によって破損や性能低下などの問題が生じてしまうことがある。この問題に対して、発熱量の大きな部品にはヒートシンクと呼ばれる放熱部材をネジや接着剤を用いて取り付けることが一般的となっている。
【０００５】
遊技場などに設置される遊技機においては、電子回路部品に針金などの導電性の異物を接触させて回路基板を誤動作させる不正行為を防ぐために、回路基板を収容ケースに収容していることが多い。この収容ケースは透明な樹脂などで形成されており、電子回路部品に交換や改造といった不正が加えられたか否かを回路基板を収容ケースから出さずに視認できるようになっている。
【０００６】
収容ケースに収容された回路基板の放熱の問題を解決するために、特許文献１には、収容ケースから突出する架台に回路基板を装着するとともに、該架台を介して熱が収容ケース側に伝導するようにした構成が記載されている。
【特許文献１】特開２００２−３３１１３６号公報
【発明の開示】
【発明が解決しようとする課題】
【０００７】
しかしながら、特許文献１に記載された構成では、回路基板の放熱は行うが、個々の電子回路部品から発せられる熱を回路基板及び架台を介して放熱しており、発熱量の大きい電子回路部品が回路基板に設けられている場合には、放熱しきれないという問題があった。この対策としては、ヒートシンクを直接電子回路部品に取り付けることが考えられるが、この場合には、電子回路部品に対して交換や改造といった不正行為が行われても、ヒートシンクの影になってしまうので視認することが難しく、不正行為の発見が遅れてしまうという問題があった。
【０００８】
本発明は、ヒートシンクによる電子回路部品の放熱効果を損なうことなく、電子回路部品に対する不正行為の有無の確認を容易に且つ確実に行うことができる基板収納ユニット及びこれを備えた遊技機を提供する。
【課題を解決するための手段】
【０００９】
上記目的を達成するために、本発明の基板収納ユニットは、電子回路部品が組み込まれた回路基板、前記電子回路部品に当接して放熱する放熱部材を収納するとともに、少なくとも一部が内部を視認させる透明素材から構成され、前記電子回路部品と対向する対向面に放熱孔が形成された基板収納ケースと、前記対向面に直交する方向に移動可能に設けられ、移動可能な方向の一端が前記放熱部材に固定され、他端が前記対向面に形成された貫通孔に挿通されて外部に突出される移動部材と、前記放熱部材を前記電子回路部品に当接する方向に付勢する付勢手段と、を備えたことを特徴とする。なお、前記電子回路部品としては、ＣＰＵ、ＩＣ、ＬＳＩ等が挙げられる。また、前記放熱部材としては、ヒートシンク等が挙げられる。また、前記移動部材としては、棒状の部材や板状の部材等が挙げられる。
【００１０】
また、前記放熱孔を、前記移動部材を前記付勢手段の付勢に抗して移動させたときに前記放熱部材の一部を挿通して前記基板収納ケースの外部に突出させる位置及び大きさに形成することが好ましい。
【００１１】
さらに、前記移動部材の他端に、把手を設けることが好ましい。また、前記把手を、前記放熱孔を覆うとともに、前記放熱部材が前記電子回路部品に当接しているときに前記対向面に対して少なくとも一部に隙間をあけて配設されたカバー部材から構成し、前記カバー部材に、前記対向面に直交する方向において前記放熱孔と重なることのない位置に通気孔を形成することが好ましい。
【００１２】
また、本発明の遊技機は、上記基板収納ユニットを備えたことを特徴とする。なお、前記回路基板としては、遊技時の当りの抽選を行う当り抽選部及び抽選部の駆動を制御する制御部を有する主制御基板や、抽選部の抽選結果に応じてスピーカやランプ等の駆動装置の駆動を制御する副制御基板等が挙げられるが、主制御基板であることが好ましく、前記電子回路部品としては、前記抽選部または前記制御部であることが好ましい。
【発明の効果】
【００１３】
本発明の基板収納ユニットによれば、電子回路部品が組み込まれた回路基板、電子回路部品に当接して放熱する放熱部材を収納するとともに、少なくとも一部が内部を視認させる透明素材から構成され、電子回路部品と対向する対向面に放熱孔が形成された基板収納ケースと、対向面に直交する方向に移動可能に設けられ、移動可能な方向の一端が放熱部材に固定され、他端が対向面に形成された貫通孔に挿通されて外部に突出される移動部材と、放熱部材を電子回路部品に当接する方向に付勢する付勢手段と、を備えたから、移動部材を付勢手段の付勢に抗して移動させることにより、放熱部材を電子回路部品から離れる方向に移動させることができるため、目視による電子回路部品への不正行為の有無の確認を容易に且つ確実に行うことができる。
【００１４】
また、放熱孔を、移動部材を付勢手段の付勢に抗して移動させたときに放熱部材の一部を挿通して基板収納ケースの外部に突出させる位置及び大きさに形成したから、放熱部材が電子回路部品に当接しているときの放熱部材と基板収納ケースとの隙間を小さくすることができるため、基板収納ケースのサイズを小型化することができ、コストダウンを図ることができる。
【００１５】
さらに、移動部材の他端に、把手を設けたから、移動部材により放熱部材を移動させる際に、把手を持って行うことができるため、容易に放熱部材を移動させることができる。
【００１６】
また、把手を、放熱孔を覆うとともに、放熱部材が電子回路部品に当接しているときに対向面に対して少なくとも一部に隙間をあけて配設されたカバー部材から構成し、カバー部材に、対向面に直交する方向において放熱孔と重なることのない位置に通気孔を形成したから、針金や板などの異物を通気孔、放熱孔の順に挿入して電子回路部品を誤作動させる等の不正行為による被害を軽減することができる。
【００１７】
さらに、本発明の遊技機によれば、上記基板収納ユニットを備えたから、電子回路部品を遊技時の当りの抽選を行う当り抽選部から構成した場合には、抽選部への不正行為の有無の確認を、目視により容易に且つ確実に行うことができる。
【発明を実施するための最良の形態】
【００１８】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６、及びパチンコ球７の打ち出し強さを調節する操作ハンドル８が設けられている。遊技盤４のパチンコ球７が打ち出される遊技領域４ａの略中央には、始動入賞口１０へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、通過入賞口１２、アタッカ１３、アウト口１４が設けられており、アタッカ１３は、遊技盤４に一体的に組み付けられている。また、遊技盤４の略中央には、センター役物１５が一体的に組み付けられており、センター役物１５に形成された開口１５ａを介して、図柄可変表示装置９を視認することができる。
【００１９】
各入賞口１０〜１２内には、各入賞口１０〜１２に入ったパチンコ球７を検知する入賞球検知センサ１６（図７参照）が設けられている。遊技者は、供給皿６にパチンコ球７を投入してパチンコ球７を供給皿６内に設けられた誘導路を介して球発射装置１７（図７参照）へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１１のいずれかまたはアタッカ１３に入るか、あるいはアウト口１４から回収される。アタッカ１３の奥には大入賞口（図示せず）が設けられており、大入賞口内には、大入賞口に入ったパチンコ球７を検知する大入賞球検知センサ１９（図７参照）が設けられている。アタッカ１３は大入賞口を開放する開き位置と大入賞口を閉じる閉じ位置との間で回動自在に取り付けられている。なお、パチンコ機２の遊技領域４ａに設けられている複数の釘、風車などの構造物は公知であるので説明は省略する。
【００２０】
図２にパチンコ機の背面側の外観を示す。パチンコ機２の本体枠３には、遊技を行う際に音声発生装置２６等の各種装置を作動させるための主制御を行う主制御基板（回路基板）２１の他に、副制御基板２２、球発射装置１７、球払出装置１８等がそれぞれ組み付けられている。これら制御回路装置及び装置は、図示しないケーブル等を介して電気的に接続されている。また、本体枠３の内部にはスピーカーなどの音声発生装置２６（図７参照）や、本体枠３及び遊技盤４上の様々な位置にランプ２７（図７参照）が設けられており、音声発生装置２６から演出効果を持たせた音声を発生させたり、ランプ２７の点灯制御によって演出効果を出すといったことを行う。
【００２１】
主制御基板２１は、基板収納ケース３０に収納されており、基板収納ケース３０は、本体枠３に取り付けられている。
【００２２】
図３に示すように、基板収納ケース３０は、第１カバー３１と第２カバー３２とを備え、第２カバー３２は、本体枠３に組み付けられている。第１カバー３１と第２カバー３２とは、主制御基板２１、ヒートシンク（放熱部材）３５（図４参照）を収納した状態で取り付けられており、これにより、主制御基板２１に対して何人も接触できないよう防護している。第１カバー３１及び第２カバー３２は、透明な樹脂から構成されており、基板収納ケース３０の内部を視認可能になっている。
【００２３】
図４及び図５に示すように、第１カバー３１は、長板状の本体部３１ａ、本体部３１ａの図４における上側の先端部を９０°の角度で折り曲げられた形状で形成された上曲げ部３１ｂ、本体部３１ａの図４における下側の先端部を９０°の角度で折り曲げられた形状で形成された下曲げ部３１ｃから構成されている。本体部３１ａの図４における右側の端部には、第２カバー３２を取り付けるための取付孔３１ｄが所定のピッチで６個形成されている。本体部３１ａの前面（対向面）の略中心部には、ヒートシンク３５により放熱される熱を外部に放出するための放熱孔３１ｅが６個形成されている。放熱孔３１ｅは、ヒートシンク３５を退避位置（図６（Ｂ）参照）まで移動させたときに、ヒートシンク３５のフィン３５ｂを挿通可能な位置及びサイズで形成されている。本体部３１ａの放熱孔３１ｅの左側及び右側には、ヒートシンク３５に取り付けられた移動シャフト３６を挿通させるための貫通孔３１ｆが２個ずつ計４個形成されている。上曲げ部３１ｂ及び下曲げ部３１ｃには、図４における左側端部と略中央部と右側端部とに第２カバー３２の係合突起３２ｄを挿入するための係合孔３１ｇがそれぞれ形成されている。本体部３１ａの内面には、移動シャフト３６の移動を支持するための支持部３１ｈが２個形成されており、２個の支持部３１ｈには、それぞれ貫通孔３１ｆが連通して形成されている（図６参照）。
【００２４】
第２カバー３２は、箱状に形成された本体部３２ａ、本体部３２ａの図４における右側に一体に形成され、第１カバー３１を取り付けるための円筒状の取付部３２ｂから構成されている。取付部３２ｂは６個形成されており、それぞれに取付孔３２ｃが形成されている。本体部３２ａの図４における上面及び下面には、左側端部と略中央部と右側端部とに第１カバー３１の係合孔３１ｇに挿入するための凸状の係合突起３２ｄがそれぞれ形成されている。係合突起３２ｄは、図４における背面側から前面側に向けて肉厚が薄くなるような三角柱状に形成されている。
【００２５】
主制御基板２１には、メインＣＰＵ（電子回路部品）２１ａが組み込まれている。このメインＣＰＵ２１ａは、多量の電気的処理を行うものであり、熱を発する。ヒートシンク（放熱部材）３５は、メインＣＰＵ２１ａが発する熱を放熱させるものであり、基板収納ケース３０に収納されている。ヒートシンク３５は、平板状のベース３５ａと、ベース３５ａの一面から突出するように形成された６個のフィン３５ｂとを備え、ベース３５ａの一面における四隅には、移動シャフト（移動部材）３６の一端が取り付けられている。移動シャフト３６は、４本設けられている。基板収納ケース３０の内部には、コイルバネ（付勢手段）３７が４個収納されており、移動シャフト３６は、コイルバネ３７の中心部に挿通されている（図６参照）。本実施形態では、フィン３５ｂを板状に形成しているが、フィン３５ｂの形状は適宜変更されるものである。
【００２６】
図５及び図６に示すように、主制御基板２１を第２カバー３２内部に取り付け、主制御基板２１のメインＣＰＵ２１ａの上部平面に、ヒートシンク３５のベース３５ａの底部平面を接触させ、第１カバー３１を第２カバー３２に取り付けてビス３８により固定したときに、４本の移動シャフト３６に４個のコイルバネ３７の中心部がそれぞれ挿通されている。なお、図６は、図３の正面略中心部の下側面断面図であり、簡略的に４個のコイルバネ３７のうち２個のみを図示している。上記したような取付作業を行うと、ヒートシンク３５は、コイルバネ３７によりベース３５ａがメインＣＰＵ２１ａに当接する当接位置（図６（Ａ）参照）に向けて図６中Ａ方向に付勢される。すなわち、ベース３５ａはメインＣＰＵ２１ａに当接した状態となる。これにより、メインＣＰＵ２１ａから発せられる熱は、ヒートシンク３５により放熱され、ヒートシンク３５により放熱された熱は、放熱孔３１ｅから基板収納ケース３０の外部に放出される。
【００２７】
移動シャフト３６のベース３５ａに取り付けられる一端とは反対側の他端を、第１カバー３１の貫通孔３１ｆに挿通させると、移動シャフト３６は、支持部３１ｈにより図６中Ａ及びＢ方向（本体部３１ａの前面に直交する方向）に移動可能に支持される。このとき、移動シャフト３６の他端は、貫通孔３１ｆから突出する。移動シャフト３６の貫通孔３１ｆから突出した他端には、把手３９が取り付けられる。把手３９は、略コ字状に形成されており、本体部３９ａと、本体部３９ａの上下の端部に曲折形成された２個の取付部３９ｂとからなり（図４参照）、取付部３９ｂの端部は、移動シャフト３６の他端に取り付けられる。把手３９を持って移動シャフト３６をコイルバネ３７の付勢に抗して移動させることにより、ヒートシンク３５を、図６中Ａ及びＢ方向に移動させることができる。本実施形態では、基板収納ユニットは、基板収納ケース３０、移動シャフト（移動部材）３６、コイルバネ（付勢手段）３７、把手３９を備えて構成されている。なお、移動シャフト３６と把手３９とを、１個の部品として一体的に形成するようにしてもよい。
【００２８】
図７に示すように、パチンコ機２の作動は基本的に主制御基板２１、副制御基板２２によって管制される。主制御基板２１と副制御基板２２とには、それぞれ接続端子が設けられ、接続ケーブル等で接続端子を接続することにより主制御基板２１と副制御基板２２とは電気的に接続される。
【００２９】
主制御基板２１は、メインＣＰＵ（ｃｅｎｔｒａｌ  ｐｒｏｃｅｓｓｉｎｇ  ｕｎｉｔ）２１ａ及びメインＲＯＭ（ｒｅａｄ  ｏｎｌｙ  ｍｅｍｏｒｙ）２１ｂ及びメインＲＡＭ（ｒａｎｄｏｍ  ａｃｃｅｓｓ  ｍｅｍｏｒｙ）２１ｃを備える。メインＣＰＵ２１ａは、入賞球検知センサ１６から入力される入力信号に応じて、メインＲＯＭ２１ｂに記憶されている遊技制御プログラムを読み込んでパチンコ機の遊技状態を制御する命令を生成すると共に、副制御基板２２に命令情報を送信して所定の遊技状態となるように実行させる。メインＲＯＭ２１ｂには、遊技制御プログラムが所定の領域に格納されているとともに、大当り抽選部２１ｄが設けられており、この大当たり抽選部２１ｄには、乱数生成処理プログラム及び乱数テーブルなどが格納されている。これら遊技制御プログラム、乱数生成処理プログラム及び乱数テーブルは、メインＣＰＵ２１ａによって読み出され、演算処理されるように適宜用いられる。メインＲＡＭ２１ｃは、ワーキングエリアとなっており、遊技において利用されるデータなどの一時的保管や書き換えなどに用いられる。
【００３０】
メインＣＰＵ２１ａは、入賞球検知センサ１６からの信号が入力されると、メインＲＯＭ２１ｂに記憶されている遊技制御プログラムに基づいて、球払出装置１８を駆動して所定個数の賞球を供給皿６上に払い出す。なお、賞球の個数は、遊技球が入った各入賞口１０、１１の種類に応じて適宜設定して良い。また、球発射装置１７は、メインＣＰＵ２１ａに接続されており、メインＣＰＵ２１ａにより駆動が制御される。
【００３１】
副制御基板２２は、サブＣＰＵ２２ａ、サブＲＯＭ２２ｂ及びサブＲＡＭ２２ｃを備える。サブＣＰＵ２２ａは、サブＲＯＭ２２ｂに格納された副制御装置用制御プログラムを適宜読み出し、主制御基板２１から命令情報として入力される制御信号に応じて、副制御用制御プログラムに従って、図柄可変表示装置９の駆動制御を行う。サブＲＡＭ２２ｃはワーキングエリアとなっており、図柄可変表示装置９の制御において利用されるデータなどの一時的保管や書き換えなどに用いられる。
【００３２】
始動入賞口１０に入ったパチンコ球７が入賞球検知センサ１６により検知されると、メインＣＰＵ２１ａにスタート信号が入力される。メインＣＰＵ２１ａはスタート信号に応答して大当り抽選部２１ｄを作動させる。
【００３３】
大当り抽選部２１ｄは、乱数発生器、乱数サンプリング回路、大当り決定テーブルを含んでおり、始動入賞口１０の入賞球検知センサ１６によりパチンコ球７の入賞が検知されるたびに１つの乱数値を抽選する。抽選された乱数値は大当りテーブルと照合され、大当りモードに移行させるか否かが抽選判定の結果として決定され、該決定に係る情報（例えばコマンド）が生成される。
【００３４】
大当り決定テーブルでは、乱数値がその大きさに応じて３つのグループにグループ分けされている。３つの乱数値グループには、ハズレ、通常大当たりモードに移行させる「通常大当たり」、通常時とは大当たり確率が異なる（例えば、大当たり確率が高い）確率変動大当たり（以下、確変大当り）モードに移行させる「確変大当り」がそれぞれ割り当てられており、サンプリングされた乱数値がいずれのグループに属する値であるかによって、ハズレ及び大当りのいずれかにするかを決定する当選判定が行われる。抽選が終了すると抽選結果信号がメインＣＰＵ２１ａにフィードバックされる。メインＣＰＵ２１ａは、抽選結果信号をサブＣＰＵ２２ａに送る。
【００３５】
メインＣＰＵ２１ａは、大当り抽選部２１ｄで「通常大当たり」または「確変大当たり」が抽選されると、アタッカ１３を開き位置まで回動し、アタッカ１３が３０秒開放されるか、または大入賞口にパチンコ球７が１０個入賞される（大入賞球検知センサ１９によりパチンコ球７が１０個検知される）かを１ラウンドとして、所定ラウンド（例えば、１５ラウンド）を継続して実行する。また、「確変大当たり」が抽選されると、次回大当たりが抽選されるまで、通常時より大当たり確率の高い確変大当り決定テーブルが抽選時に用いられる。
【００３６】
副制御基板２２のサブＲＯＭ２２ｂには、各特別図柄のグラフィックデータ、停止図柄用乱数サンプリング回路、停止図柄テーブルが格納されている。サブＣＰＵ２２ａは、抽選結果信号が入力されると、サブＲＯＭ２２ｂに格納させた停止図柄用乱数サンプリング回路に基づいて乱数値のサンプリングを行わせ、サンプリングされた乱数値を停止図柄テーブルと比較させる。停止図柄テーブルはハズレ用、大当り用、確変大当たり用の３種類設けられており、サンプリングされた乱数値は大当り抽選部２１ｄでの抽選結果に対応する停止図柄テーブルと照合される。ぞれぞれの停止図柄テーブルには、グループ分けされた乱数値に入賞有効ライン上に停止させる特別図柄の組み合わせが割り当てられており、サンプリングされた乱数値がいずれのグループに属する値であるかによって、入賞有効ライン上に停止される特別図柄の組み合わせが決定される。サブＣＰＵ２２ａは、決定された特別図柄の組み合わせに基づき、図柄可変表示装置９での特別図柄の変動表示及び停止表示の制御を行う。なお、停止図柄テーブルには、例えば入賞有効ライン上に特別図柄が２個停止したときに特定の特別図柄が揃った状態、つまりはリーチ状態となったときの特別図柄の変動態様、図柄可変表示中に行われるリーチ予告での特別図柄の変動態様、大当り予告での特別図柄の停止態様など、様々なバリエーションの特別図柄の変動態様を行わせるか否かのデータも含まれている。
【００３７】
上記のように構成されたパチンコ機２の作用について説明する。遊技場の管理者は、主制御基板２１のメインＣＰＵ２１ａへの不正行為の有無を目視により検査する。第１カバー３１は、透明樹脂により形成されてり、主制御基板２１を基板収納ケース３０に収納した状態のまま検査する。メインＣＰＵ２１ａは、ヒートシンク３５により隠されているため、遊技場の管理者は、図６（Ｂ）及び図８に示すように、把手３９を持って、ヒートシンク３５を図６及び図８中Ｂ方向に移動させる。ヒートシンク３５を図６及び図８中Ｂ方向に退避位置（図６（Ｂ）参照）まで移動させると、フィン３５ｂの先端部が第１カバー３１の放熱孔３１ｅを通り、本体部３１ａの前面から突出する。これにより、メインＣＰＵ２１ａとヒートシンク３５との間に隙間が生じ、メインＣＰＵ２１ａが視認可能になるため、メインＣＰＵ２１ａを検査することができる。
【００３８】
このように、ヒートシンク３５を、メインＣＰＵ２１ａに当接する当接位置（図６（Ａ）参照）と、当接しない退避位置（図６（Ｂ）参照）との間で移動可能にしたから、ヒートシンク３５を退避位置に移動させるだけで、メインＣＰＵ２１ａへの不正行為の有無を容易に且つ確実に検査することができる。さらに、通常時には、ヒートシンク３５をコイルバネ３７により当接位置（図６（Ａ）参照）に付勢しているから、ヒートシンク３５による放熱性能を維持することができる。
【００３９】
また、ヒートシンク３５に移動シャフト３６を取り付け、移動シャフト３６に把手３９を取り付けたから、ヒートシンク３５を移動させる場合には、把手３９を持つことにより、容易に移動させることができる。
【００４０】
さらに、第１カバー３１の放熱孔３１ｅの開口の大きさを、ヒートシンク３５のフィン３５ｂを挿通可能な位置及びサイズで形成し、ヒートシンク３５を退避位置まで移動させると、フィン３５ｂの先端部が第１カバー３１の放熱孔３１ｅを通り、本体部３１ａの前面から突出するようにしたから、当接位置に位置するときのフィン３５ｂと第１カバー３１の内面との隙間を小さくすることができるため、基板収納ケース３０のサイズを小型化することができ、コストダウンを図ることができる。なお、常時、フィン３５ｂの先端部を放熱孔３１ｅから突出させるようにしてもよく、この場合には、放熱孔３１ｅから針金や板などの異物が挿入されることを抑止することができる。
【００４１】
なお、上記実施形態では、ヒートシンク３５を１個設けた実施形態について説明したが、その個数は限定されることなく、電子回路部品の個数に応じて適宜変更されるものである。
【００４２】
また、上記実施形態では、ヒートシンク３５を、ベース３５ａ上にフィン３５ｂを配列した形状のものから構成したが、ヒートシンク３５の形状としてはこれに限定されることなく、電子回路部品と当接することのできる形状であればよく、ベース３５ａ上に放熱ピンを配列したものなど適宜変更可能である。また、ヒートシンク３５の一部を挿通する第１カバー３１の放熱孔３１ｅの形状も、ヒートシンク３５の形状に合わせて、例えば、放熱ピンが一本ずつ挿通される複数の孔とするなど、適宜変更されるものである。
【００４３】
さらに、上記実施形態では、パチンコ機２を例に挙げて説明したが、スロットマシンなどの各種遊技機についても本発明は適用することができる。
【００４４】
図９及び図１０に他の実施形態を示す。上記実施形態のものと同様の構成部材には同一の符号を付し、その詳細な説明を簡略化する。この実施形態では、移動シャフト３６には、カバー把手４０が取り付けられている。カバー把手４０は、第１カバー３１の放熱孔３１ｅを覆う板状の本体部４０ａと、移動シャフト３６の端部に取り付けるための円柱状の取付部４０ｂとからなり、取付部４０ｂは４個形成されている。カバー把手４０は、ヒートシンク３５が当接位置（図１０（Ａ）参照）に位置するときに、第１カバー３１の本体部３１ａの前面との間に僅かな隙間が設けられるように配設されている。本体部４０ａには、ヒートシンク３５による放熱を通気させるための通気孔４０ｃが７個形成されている。これら７個の通気孔４０ｃは、取付部４０ｂを移動シャフト３６に取り付けたときに、移動シャフト３６の移動方向において第１カバー３１の放熱孔３１ｅと重なることがない位置、すなわち、互い違いとなる位置に形成されている。また、本体部４０ａの図９における上面及び下面には、それぞれ切欠き４０ｄが形成されており、ヒートシンク３５を図１０中Ｂ方向に移動させる場合には、本体部４０ａの切欠き４０ｄが形成された部分を手で持って行う。本実施形態では、基板収納ユニットは、基板収納ケース３０、移動シャフト（移動部材）３６、コイルバネ（付勢手段）３７、カバー把手４０を備えて構成されている。なお、移動シャフト３６とカバー把手４０とを、１個の部品として一体的に形成するようにしてもよい。
【００４５】
このように、移動シャフト３６に、第１カバー３１の放熱孔３１ｅを覆うカバー把手４０を取り付け、カバー把手４０を、ヒートシンク３５が当接位置（図１０（Ａ）参照）に位置するときに本体部３１ａの前面に接触しないようにするとともに、本体部４０ａには、放熱孔３１ｅに重なることがない位置に通気孔４０ｃを形成したから、ヒートシンク３５による放熱性能を維持しながら、針金や板などの異物を通気孔４０ｃ、放熱孔３１ｅの順に挿入してＣＰＵ２１ａを誤作動させる等の不正行為による被害を軽減することができる。
【図面の簡単な説明】
【００４６】
【図１】本発明を実施したパチンコ機の外観を示す斜視図である。
【図２】パチンコ機の背面側からの外観を示す斜視図である。
【図３】基板収納ケースと把手とを示す斜視図である。
【図４】基板収納ケースを示す分解斜視図である。
【図５】主制御基板と第１カバーと第２カバーとヒートシンクと移動シャフトと把手とを示す斜視図である。
【図６】主制御基板と第１カバーと第２カバーとヒートシンクと移動シャフトと把手とを示す下側面断面図である。
【図７】パチンコ機内部の電気的構成を示す機能ブロック図である。
【図８】ヒートシンクを退避位置まで移動させた状態の基板収納ケースとフィンと移動シャフトと把手とを示す斜視図である。
【図９】カバー把手を設けた実施形態の基板収納ケースとカバー把手とを示す斜視図である。
【図１０】図９に示す実施形態の主制御基板と第１カバーと第２カバーとヒートシンクと移動シャフトとカバー把手とを示す下側面断面図である。
【符号の説明】
【００４７】
２  パチンコ機（遊技機）
２１  主制御基板（回路基板）
２１ａ  ＣＰＵ（電子回路部品）
２２  副制御基板
３０  基板収納ケース
３１  第１カバー
３１ａ  本体部
３１ｅ  放熱孔
３１ｆ  貫通孔
３１ｈ  支持部
３２  第２カバー
３５  ヒートシンク（放熱部材）
３５ａ  ベース
３５ｂ  フィン
３６  移動シャフト（移動部材）
３７  コイルバネ（付勢手段）
３９  把手
４０  カバー把手
【図１】
2006263084.tif 000003
【図２】
2006263084.tif 000004
【図３】
2006263084.tif 000005
【図４】
2006263084.tif 000006
【図５】
2006263084.tif 000007
【図６】
2006263084.tif 000008
【図７】
2006263084.tif 000009
【図８】
2006263084.tif 000010
【図９】
2006263084.tif 000011
【図１０】
2006263084.tif 000012